(57)【要約】【課題】  多波長光源を用いた波長分割多重伝送システムにおいて、多波長光を供給する光ファイバの増設コストを抑える。【解決手段】  通信局同士を接続する２本の光ファイバのうち、１本を多波長光源供給装置３０１から供給される多波長光の伝送に使用し、もう１本を多波長光から生成された各波長の光信号の双方向通信に使用する。あるいは、１本の光ファイバだけで多波長光の伝送と光信号の双方向通信を行う。【選択図】図３
2006270283.tif 000002
【特許請求の範囲】
【請求項１】
多波長光源から供給される多波長光を利用して波長分割多重により光信号を伝送する伝送装置であって、
前記多波長光源が生成する多波長光または第１の多波長光伝送路から入射する多波長光を第２の多波長光伝送路に出力する多波長光出力手段と、
前記多波長光を各波長の光に分離する多波長光分離手段と、
分離された各波長の光を送信データ列で変調して光信号を生成する変調手段と、
波長の異なる複数の光信号を多重化して光信号伝送路に出力する波長多重手段と
を備えることを特徴とする伝送装置。
【請求項２】
多波長光源から供給される多波長光を利用して波長分割多重により光信号を伝送する伝送装置であって、
前記多波長光源または第１の伝送路から入射する多波長光を第２の伝送路に出力する多波長光出力手段と、
前記多波長光の各波長を一括して変換する変換手段と、
変換された多波長光を各波長の光に分離する多波長光分離手段と、
分離された各波長の光を送信データ列で変調して光信号を生成する変調手段と、
波長の異なる複数の光信号を多重化して前記第２の伝送路に出力する波長多重手段と
を備えることを特徴とする伝送装置。
【請求項３】
多波長光源から供給される多波長光を利用して波長分割多重により光信号を伝送する伝送装置であって、
前記多波長光源または第１の伝送路から入射する第１の多波長光を第２の伝送路に出力する第１の多波長光出力手段と、
前記多波長光源または第２の伝送路から入射する第２の多波長光を前記第１の伝送路に出力する第２の多波長光出力手段と、
前記第１および第２の多波長光の各波長を一括して変換する変換手段と、
変換された第１の多波長光を各波長の光に分離する第１の多波長光分離手段と、
変換された第２の多波長光を各波長の光に分離する第２の多波長光分離手段と、
前記第１の多波長光分離手段により分離された各波長の光を送信データ列で変調して光信号を生成する第１の変調手段と、
前記第２の多波長光分離手段により分離された各波長の光を送信データ列で変調して光信号を生成する第２の変調手段と、
前記第１の変調手段により生成された波長の異なる複数の光信号を多重化して前記第１の伝送路に出力する第１の波長多重手段と、
前記第２の変調手段により生成された波長の異なる複数の光信号を多重化して前記第２の伝送路に出力する第２の波長多重手段と
を備えることを特徴とする伝送装置。
【請求項４】
波長多重手段および波長分離手段を有し、多波長光を利用して波長分割多重により光信号を伝送する複数の伝送装置に、該多波長光を供給する多波長光源供給装置であって、
前記多波長光を生成する多波長光源手段と、
前記多波長光から生成された調整用波長の光が前記波長多重手段および波長分離手段を通過するとき、通過後の調整用波長の光をモニタして得られた情報を、前記複数の伝送装置から収集するインタフェース手段と、
収集された情報に基づいて、前記通過後の調整用波長の光の光損失が最小になるように、前記多波長光源手段の特性を制御する制御手段と
を備えることを特徴とする多波長光源供給装置。
【発明の詳細な説明】
【技術分野】
【０００１】
本発明は、多波長光源から供給される多波長光を利用して波長分割多重により光信号を伝送する装置に関する。
【背景技術】
【０００２】
今日、波長分割多重（Wavelength Division Multiplexing，ＷＤＭ）通信技術が実用化され、光通信の通信容量が飛躍的に増大している（例えば、下記特許文献１〜９を参照）。今後は、加入者系の伝送路をすべて光ファイバ化する流れが進むことで、さらなる通信容量の増加が必要になりつつある。
【０００３】
図１２は、このようなＷＤＭ伝送システムの構成図である。図１２のＷＤＭ伝送システムは、端局Ａ、中継局Ｂ、および端局Ｃからなる。局Ａは、送信部１１−１〜１１−５、受信部１２−１〜１２−５、および波長多重／分離装置１３−１を備え、局Ｃは、送信部１１−１６〜１１−２０、受信部１２−１６〜１２−２０、および波長多重／分離装置１３−４を備える。局Ｂは、送信部１１−６〜１１−１５、受信部１２−６〜１２−１５、波長多重／分離装置１３−２、１３−３、および電気的ＡＤＤ／ＤＲＯＰ装置１４を備える。
【０００４】
送信部１１−１〜１１−２０は、図１３に示すように、所定波長の光源２１および変調器２２を含み、光源２１からの光を送信データ列で変調して光信号を生成する。波長多重／分離装置１３−１〜１３−４は、波長多重部１５、波長分離部１６、光送信増幅部１７、および光受信増幅部１８を含む。
【０００５】
局Ａの送信部１１−１〜１１−５から出力された各波長の光信号は、波長多重／分離装置１３−１により多重化され、ＷＤＭ光として局Ｂに送信される。局Ｂでは、受信したＷＤＭ光が波長多重／分離装置１３−１により各波長の光信号に分離され、受信部１２−１〜１２−５により電気信号に変換される。電気的ＡＤＤ／ＤＲＯＰ装置１４は、受信した一部の信号を分岐（ＤＲＯＰ）したり、別の送信データ列を挿入（ＡＤＤ）したりする。
【０００６】
次に、局Ａから局Ｂへの伝送と同様にして局Ｂから局ＣにＷＤＭ光が送信され、局Ｃの受信部１２−１６〜１２−２０により各波長の光信号が受信される。局Ｃから局Ａへの伝送の手順についても、局Ａから局Ｃへの伝送の場合と同様である。
【０００７】
このようなＷＤＭ伝送システムにおいて、システム全体の通信容量を増やすために、波長数を増やすことは比較的簡単にできるが、波長帯域をどんどん広げると、光増幅帯域、光ファイバの伝送帯域、光デバイスの帯域等の制限により伝送が不可能となる。このため、波長帯域自体は最も効率の良い幅に限られるので、代わりに波長間隔を狭めて波長数を増やすことが必然となる。
【０００８】
光送信増幅部１７や光受信増幅部１８において、Ｌ帯域（L-band）、Ｃ帯域（C-band）、Ｓ帯域（S-band）等の帯域毎に配置される、一般の多波長用ＥＤＦＡ（Erbium Doped Fiber Amplifier）の利得波長帯域は、約２８〜３２ｎｍである。したがって、図１４に示すように、この利得波長帯域の範囲にどれだけの波長を詰めるかによって、波長多重数が変わってくる。
【０００９】
このとき、波長数の増加を妨げる要因として、各波長光源の精度が問題になる。図１２および１３に示したように、各波長の光源を各送信部に独立に設置して光信号を生成すると、図１５に示すように、各波長の自律発振精度の誤差Δλcontが生じる。
【００１０】
また、例えば、アレイ導波路格子（Arrayed Waveguide Grating ，ＡＷＧ）のような、波長多重部１５や波長分離部１６として用いられる光デバイス（波長フィルタ）の通過特性にも、製造ばらつきが生じるのは当然である。
【００１１】
例えば、図１６のような波長フィルタのポートＰ３にＷＤＭ光が入射し、ポートＰ１およびポートＰ２から波長λ１およびλ２の光信号がそれぞれ出力される場合の通過特性は、図１７のようになる。図１７において、曲線３１はポートＰ３→ポートＰ１の光損失を表し、曲線３２はポートＰ３→ポートＰ２の光損失を表す。波長フィルタを用いてこれらの光信号を分離するには、製造ばらつきを考慮して、λ１とλ２がΔλfilterだけ離れている必要がある。
【００１２】
さらに、変調により光のスペクトルがΔλmod だけ広がるものと仮定すると、λ１とλ２の波長間隔Δλには以下の条件が課せられる。
Δλ＞Δλcont＋Δλfilter＋Δλmod 
このように、光源の波長精度や波長フィルタの製造ばらつき等の要因を考慮すると、波長間隔を狭める方法には限界があることが分かる。一方、ラマン増幅技術を用いて光増幅帯域を広げることで、波長間隔を狭めることなく波長数を増やす方法も検討されている。
【００１３】
また、波長数が増加すれば、正確に異なる波長で、かつ、適正な波長間隔で発光するレーザ発振器を波長数分だけ用意する必要があり、この部分のコストがシステム全体のコストの大半を占めるようになる。
【００１４】
そこで、通信容量の飛躍的増大を支援するために、光源の構成を再検討してコストを削減することが有効となる。その方法の１つとして考えられているのが、多波長光源から複数の局へ多波長光を供給する方法である。
【００１５】
図１８は、このような多波長光源を用いたＷＤＭ伝送システムの構成図である。図１８のＷＤＭ伝送システムは、図１２の構成において、送信部１１−１〜１１−２０を送信部４２−１〜４２−２０に置き換え、局Ａ〜局Ｃに波長分離器４１−１〜４１−４を追加し、局Ｂに光カプラ４３を追加し、さらに局Ｄを追加した構成を有する。
【００１６】
送信部４２−１〜４２−２０は、図１９に示すように、図１３の構成から光源２１を除いた構成を有し、外部から入力された光を送信データ列で変調して光信号を生成する。局Ｄは、多波長光源供給装置４４を備え、多波長の光を含むＣＷ（continuous wave ）光（多波長光）を局Ａ〜局Ｃに供給する。局Ｂの光カプラ４３は、供給された多波長光を２つに分岐して、それぞれ波長分離器４１−２および４２−３に出力する。
【００１７】
局Ａでは、波長分離器４１−１が、供給された多波長光を各波長の光に分離して、送信部４２−１〜４２−５に出力する。局Ｂおよび局Ｃの波長分離器４１−２〜４１−４も同様に、多波長光源供給装置４３から供給された多波長光を各波長の光に分離する役割を果たす。
【００１８】
１つの多波長光源により生成される多波長光は、波長分離器４１−１〜４１−４を通過した後も、波長間の間隔を維持することができる。したがって、上述した発振精度の誤差Δλcontを考慮する必要がなくなる。また、送信部毎にレーザ発振器を設ける必要がないため、システム全体として光源部分のコストを削減することができる。
【００１９】
また、近年、多波長同時伝送に適したフォトニック結晶ファイバ（Photonic Crystal Fiber，ＰＣＦ）の製品化や、多波長変換素子としての周期分極ニオブ酸リチウム（Periodically Poled Lithium Niobate，ＰＰＬＮ）に代表されるような、多波長一括変換技術が開発されている。これらの新しい技術の利用方法は未開拓の領域であり、今後の市場拡大が見込まれる。
【特許文献１】特開２００１−１９７００６号公報
【特許文献２】特開平１１−２６１５３２号公報
【特許文献３】特開平０４−３３６８２９号公報
【特許文献４】特開平０７−１７７５５６号公報
【特許文献５】特開２０００−２７７８４９号公報
【特許文献６】特開２００３−１８８８２１号公報
【特許文献７】特開平１１−１２７１３６号公報
【特許文献８】特開２０００−１８３８１７号公報
【特許文献９】特開平０８−０２３３０８号公報
【発明の開示】
【発明が解決しようとする課題】
【００２０】
しかしながら、上述した多波長光源を用いたＷＤＭ伝送システムには、次のような問題がある。
図１８のシステムでは、多波長光を各局に供給するために局数分の光ファイバを増設する必要があり、そのためのコストがかさむ。また、光源が各局に設けられるわけではないので、多波長光源からの光供給が途切れるとその局は通信ができなくなるという問題もある。
【００２１】
本発明の第１の課題は、多波長光源を用いたＷＤＭ伝送システムにおいて、多波長光を供給する光ファイバの増設コストを抑えることである。
本発明の第２の課題は、多波長光源を用いたＷＤＭ伝送システムにおいて、多波長光の供給が途切れた場合の通信の信頼性を確保することである。
【課題を解決するための手段】
【００２２】
図１は、本発明に係る第１の伝送装置の原理図である。図１の伝送装置は、多波長光出力手段１０１、多波長光分離手段１０２、変調手段１０３、および波長多重手段１０４を備え、多波長光源から供給される多波長光を利用して波長分割多重により光信号を伝送する。
【００２３】
多波長光出力手段１０１は、多波長光源が生成する多波長光、または第１の多波長光伝送路から入射する多波長光を第２の多波長光伝送路に出力する。多波長光分離手段１０２は、多波長光を各波長の光に分離し、変調手段１０３は、分離された各波長の光を送信データ列で変調して光信号を生成する。波長多重手段１０４は、波長の異なる複数の光信号を多重化して光信号伝送路に出力する。
【００２４】
多波長光出力手段１０１を備えることで、伝送装置に供給される多波長光を、第２の多波長光伝送路に接続された次の伝送装置に供給することが可能になる。したがって、多波長光源から各伝送装置に多波長光を供給するための光ファイバを１対１で設置する必要がなくなる。
【００２５】
また、多波長光分離手段１０２、変調手段１０３、および波長多重手段１０４を備えることで、供給された多波長光から各波長の光を取り出して変調し、データ送信用のＷＤＭ光を生成することができる。
【００２６】
例えば、光信号伝送路を双方向通信の伝送路として利用した場合、隣接する伝送装置間を多波長光伝送路と光信号伝送路の２本の伝送路で接続するだけで、光源の数や、光多波長光伝送路などのリソースを大幅に削減したＷＤＭ伝送システムを構築することができる。
【００２７】
多波長光出力手段１０１は、例えば、後述する図５の光アンプ５０３、光カプラ５０４−１、５０４−２、およびセレクタ５０１−２に対応し、多波長光分離手段１０２は、例えば、図５の波長分離部５０２に対応する。変調手段１０３は、例えば、図５の変調器５１１−１〜５１１−４に対応し、波長多重手段１０４は、例えば、図５の波長多重部５０９−１および５０９−２に対応する。
【００２８】
本発明に係る第２の伝送装置は、多波長光出力手段、変換手段、多波長光分離手段、変調手段、および波長多重手段を備え、多波長光源から供給される多波長光を利用して波長分割多重により光信号を伝送する。
【００２９】
多波長光出力手段は、多波長光源または第１の伝送路から入射する多波長光を第２の伝送路に出力する。変換手段は、多波長光の各波長を一括して変換し、多波長光分離手段は、変換された多波長光を各波長の光に分離する。変調手段は、分離された各波長の光を送信データ列で変調して光信号を生成し、波長多重手段は、波長の異なる複数の光信号を多重化して第２の伝送路に出力する。
【００３０】
変換手段により多波長光の各波長を別の波長に変換し、変換された多波長光を用いてデータ送信用のＷＤＭ光を生成することで、多波長光とＷＤＭ光を同一の第２の伝送路を用いて伝送することが可能になる。
【００３１】
したがって、第１および第２の伝送路を双方向通信の伝送路として利用した場合、隣接する伝送装置間を１本の伝送路で接続するだけで、ＷＤＭ伝送システムを構築することができる。
【００３２】
多波長光出力手段は、例えば、後述する図７の波長フィルタ７０６−１、７０６−２、７０７−１、７０７−２、光アンプ７０４、光カプラ７０５−１、７０５−２、およびセレクタ７０１−２に対応し、変換手段は、例えば、図７の波長変換器７０２に対応し、多波長光分離手段は、例えば、図７の波長分離部７０３に対応する。変調手段は、例えば、図７の変調器７１３−３および７１３−４に対応し、波長多重手段は、例えば、図７の波長多重部７１１−２に対応する。
【００３３】
本発明に係る第３の伝送装置は、第１および第２の多波長光出力手段、変換手段、第１および第２の多波長光分離手段、第１および第２の変調手段、および第１および第２の波長多重手段を備え、多波長光源から供給される多波長光を利用して波長分割多重により光信号を伝送する。
【００３４】
第１の多波長光出力手段は、多波長光源または第１の伝送路から入射する第１の多波長光を第２の伝送路に出力し、第２の多波長光出力手段は、多波長光源または第２の伝送路から入射する第２の多波長光を第１の伝送路に出力する。変換手段は、第１および第２の多波長光の各波長を一括して変換する。
【００３５】
第１の多波長光分離手段は、変換された第１の多波長光を各波長の光に分離し、第２の多波長光分離手段は、変換された第２の多波長光を各波長の光に分離する。第１の変調手段は、第１の多波長光分離手段により分離された各波長の光を送信データ列で変調して光信号を生成し、第２の変調手段は、第２の多波長光分離手段により分離された各波長の光を送信データ列で変調して光信号を生成する。
【００３６】
第１の波長多重手段は、第１の変調手段により生成された波長の異なる複数の光信号を多重化して第１の伝送路に出力し、第２の波長多重手段は、第２の変調手段により生成された波長の異なる複数の光信号を多重化して第２の伝送路に出力する。
【００３７】
第１の伝送路から入射する第１の多波長光から第１の伝送路に出力するＷＤＭ光が生成され、第２の伝送路から入射する第２の多波長光から第２の伝送路に出力するＷＤＭ光が生成される。これにより、第１の伝送路が通信断となって第１の多波長光の供給が途絶えた場合でも、第２の多波長光を用いて第２の伝送路上のデータ送信を継続することができる。逆に、第２の伝送路が通信断となって第２の多波長光の供給が途絶えた場合でも、第１の多波長光を用いて第１の伝送路上のデータ送信を継続することができる。
【００３８】
したがって、隣接する伝送装置間を１本の伝送路で接続した場合でも、ＷＤＭ伝送システムの信頼性がある程度確保される。
第１の多波長光出力手段は、例えば、後述する図８の波長フィルタ８０６−１、８０６−２、８０７−１、８０８−２、光アンプ８０４−１、光カプラ８０５−１、８０５−２、およびセレクタ８０１−２に対応する。第２の多波長光出力手段は、例えば、図８の波長フィルタ８０６−１、８０６−２、８０７−２、８０８−１、光アンプ８０４−２、光カプラ８０５−３、８０５−４、およびセレクタ８０１−４に対応する。
【００３９】
変換手段は、例えば、図８の波長変換器８０２に対応し、第１および第２の多波長光分離手段は、例えば、図８の波長分離部８０３−１および８０３−２にそれぞれ対応する。第１の変調手段は、例えば、図８の変調器８１４−１および８１４−２に対応し、第２の変調手段は、例えば、図８の変調器８１４−３および８１４−４に対応する。第１および第２の波長多重手段は、例えば、図８の波長多重部８１２−１および８１２−２にそれぞれ対応する。
【発明の効果】
【００４０】
本発明によれば、多波長光源と各伝送装置を結ぶ光ファイバを増設することなく、多波長光源を用いた大容量ＷＤＭ伝送システムを低コストで実現することができる。また、伝送装置に２つの方向から多波長光を供給することで、一方の多波長光が途切れた場合でも他方の多波長光を用いた通信を継続することができる。
【発明を実施するための最良の形態】
【００４１】
以下、図面を参照しながら、本発明を実施するための最良の形態を詳細に説明する。
一般に、光通信では、図２に示すように、隣接する通信局同士を２本の光ファイバで接続して通信を行う。この場合、通信方向毎に異なる光ファイバが利用される。これらの光ファイバのうち１本を光供給系用に使用し、もう１本を通信用に使用して、通信用の光ファイバで双方向通信を行えば、光ファイバを増設しなくても、多波長光源供給用の伝送路を確保することができる。
【００４２】
図３は、このようなＷＤＭ伝送システムの構成例を示している。局Ａに設置された多波長光源供給装置３０１は、左方向（局Ｃから局Ａへの方向）用および右方向（局Ａから局Ｃへの方向）用の波長光を多重化して基準多波長光を生成し、光ファイバ３２１〜３２３を介して局Ａ〜局Ｃに供給する。局Ａ〜局Ｃは、供給された多波長光を利用して、光ファイバ３３１、３３２および光カプラ３１１〜３１３を介して通信を行う。
【００４３】
このとき、通信用光ファイバ３３１および３３２は双方向の光を伝播し、各局は通信方向によって波長の異なる光を選択する。例えば、基準多波長光の帯域を２つに分割し、左方向と右方向の光信号送信には、それぞれ異なる帯域の多波長光を利用する。
【００４４】
図４は、図３の局Ａと局Ｂの間で光ファイバ３３１により双方向通信を行う方法を示している。局Ａおよび局Ｂは、入射光を波長に応じて選択的に出力する波長フィルタ４０１および４０２を備える。
【００４５】
波長フィルタ４０１は、ポートＰ１１に入射した局Ｂ方向の波長の光をポートＰ１２から光ファイバ３３１に出力し、光ファイバ３３１からポートＰ１２に入射した光をポートＰ１３から出力する。また、波長フィルタ４０２は、ポートＰ２１に入射した局Ａ方向の波長の光をポートＰ２２から光ファイバ３３１に出力し、光ファイバ３３１からポートＰ２２に入射した光をポートＰ２３から出力する。
【００４６】
このように、波長フィルタ４０１および４０２を用いることで、通信方向別に光を分離することができる。図３の局Ｂと局Ｃの間においても、同様にして双方向通信が実現される。
【００４７】
図５は、図３の各局に設けられる伝送装置の構成図である。図５の伝送装置は、セレクタ５０１−１、５０１−２、波長分離部５０２、５０８−１、５０８−２、光アンプ５０３、光カプラ５０４−１、５０４−２、波長フィルタ５０５−１、５０５−２、受信アンプ５０６−１、５０６−２、送信アンプ５０７−１、５０７−２、波長多重部５０９−１、５０９−２、受信部５１０−１、５１０−２、および変調器５１１−１〜５１１−４を備える。
【００４８】
このうち、光カプラ５０４−１および５０４−２は、図３の光カプラ３１１〜３１３に対応し、波長フィルタ５０５−１および５０５−２は、図４の波長フィルタ４０１および４０２に対応する。
【００４９】
図５では簡単のため、波長分離部５０８−１および５０８−２の出力側に受信部が１つだけ示されており、波長多重部５０９−１および５０９−２の入力側に変調器が２つだけ示されている。しかし、実際には、ＷＤＭ光の波長数分の受信部および変調器がそれぞれ設けられる。
【００５０】
局Ａのように、自局に多波長光源供給装置３０１が設置されている場合、光カプラ５０４−１は、多波長光源供給装置３０１から供給される多波長光を２つに分岐して、それぞれセレクタ５０１−１および５０１−２に出力する。
【００５１】
光アンプ５０３は、光ファイバ５２１から入射する多波長光を増幅して光カプラ５０４−２に出力し、光カプラ５０４−２は、その多波長光を２つに分岐してそれぞれセレクタ５０１−１および５０１−２に出力する。
【００５２】
セレクタ５０１−１は、光カプラ５０４−１からの多波長光（局Ａ）または光カプラ５０４−２からの多波長光（局Ｂおよび局Ｃ）を選択して、波長分離部５０２に出力する。セレクタ５０１−２は、光カプラ５０４−１からの多波長光（局Ａ）または光カプラ５０４−２からの多波長光（局Ｂおよび局Ｃ）を選択して、光ファイバ５２２に出力する。
【００５３】
波長分離部５０２は、セレクタ５０１−１からの多波長光を光信号送信用の各波長に分離して、多波長光が入射する方向（左方向）への送信用の光を変調器５１１−１および５１１−２に出力し、多波長光が出射する方向（右方向）への送信用の光を変調器５１１−３および５１１−４に出力する。
【００５４】
変調器５１１−１および５１１−２は、波長分離部５０２からの光を送信データ列で変調して光信号を生成し、波長多重部５０９−１に出力する。波長多重部５０９−１は、変調器５１１−１および５１１−２を含む複数の変調器からの光信号を多重化してＷＤＭ光を生成し、送信アンプ５０７−１に出力する。送信アンプ５０７−１は、波長多重部５０９−１からのＷＤＭ光を増幅して、波長フィルタ５０５−１に出力する。
【００５５】
波長フィルタ５０５−１は、送信アンプ５０７−１からのＷＤＭ光を光ファイバ５３１に出力し、光ファイバ５３１から入射するＷＤＭ光を受信アンプ５０６−１に出力する。受信アンプ５０６−１は、波長フィルタ５０５−１からのＷＤＭ光を増幅して、波長分離部５０８−１に出力する。波長分離部５０８−１は、受信アンプ５０６−１からのＷＤＭ光を各波長の光信号に分離して、受信部５１０−１を含む複数の受信部に出力する。受信部５１０−１は、波長分離部５０８−１からの光信号を電気信号に変換する。
【００５６】
このようにして、伝送装置は、多波長光を利用しながら光ファイバ５３１と双方向通信を行う。光ファイバ５３２との間の双方向通信の動作についても、光ファイバ５３１の場合と同様である。
【００５７】
次に、図６に示すように、隣接する通信局同士を１本の光ファイバで接続して、多波長光源の供給と光通信を実現する方法を説明する。
この場合、局Ａに設置された多波長光源供給装置６０１は、上り方向および下り方向の両方向用の波長光を多重化して基準多波長光を生成し、光ファイバ６２１〜６２３を介して局Ａ〜局Ｃに供給する。例えば、左方向と右方向の光信号送信には、それぞれ異なる帯域の多波長光が用いられる。
【００５８】
局Ａ〜局Ｃは、供給された多波長光の波長を波長変換器６１１〜６１３により一括変換して、元の波長とは異なる波長の光を生成する。そして、変換された光を利用して、光ファイバ６２２および６２３を介して通信を行う。したがって、通信に用いられるＷＤＭ光の各波長は、同じ光ファイバ内を伝播する多波長光の各波長と常に異なっている。
【００５９】
波長変換器６１１〜６１３としては、例えば、ＰＰＬＮのように、複数の波長を一括してシフトさせる非線形デバイス（波長シフトデバイス）が用いられる。このような波長シフトデバイスを利用することで、各局が通信に用いる光の波長を基準となる多波長光源によって一律に管理することができ、また、波長グリッドを画一的に決定することができる。
【００６０】
図７は、図６の各局に設けられる伝送装置の構成図である。図７の伝送装置は、セレクタ７０１−１、７０１−２、波長変換器７０２、波長分離部７０３、７１０−１、７１０−２、光アンプ７０４、光カプラ７０５−１、７０５−２、波長フィルタ７０６−１、７０６−２、７０７−１、７０７−２、受信アンプ７０８−１、７０８−２、送信アンプ７０９−１、７０９−２、波長多重部７１１−１、７１１−２、受信部７１２−１、７１２−２、および変調器７１３−１〜７１３−４を備える。
【００６１】
なお、実際には、波長分離部７１０−１および７１０−２の出力側には、ＷＤＭ光の波長数分の受信部が設けられ、波長多重部７１１−１および７１１−２の入力側には、ＷＤＭ光の波長数分の変調器が設けられる。
【００６２】
局Ａのように、自局に多波長光源供給装置６０１が設置されている場合、光カプラ７０５−１は、多波長光源供給装置６０１から供給される多波長光を２つに分岐して、それぞれセレクタ７０１−１および７０１−２に出力する。
【００６３】
波長フィルタ７０６−１は、送信アンプ７０９−１からのＷＤＭ光を光ファイバ７２１に出力し、光ファイバ７２１から入射する光を波長フィルタ７０７−１に出力する。波長フィルタ７０７−１は、波長フィルタ７０６−１からの光を多波長光とＷＤＭ光に分離して、多波長光を光アンプ７０４に出力し、ＷＤＭ光を受信アンプ７０８−１に出力する。
【００６４】
光アンプ７０４は、波長フィルタ７０７−１からの多波長光を増幅して光カプラ７０５−２に出力し、光カプラ７０５−２は、その多波長光を２つに分岐してそれぞれセレクタ７０１−１および７０１−２に出力する。
【００６５】
セレクタ７０１−１は、光カプラ７０５−１からの多波長光（局Ａ）または光カプラ７０５−２からの多波長光（局Ｂおよび局Ｃ）を選択して、波長変換器７０２に出力する。セレクタ７０１−２は、光カプラ７０５−１からの多波長光（局Ａ）または光カプラ７０５−２からの多波長光（局Ｂおよび局Ｃ）を選択して、波長フィルタ７０７−２に出力する。
【００６６】
波長変換器７０２は、セレクタ７０１−１からの多波長光の各波長を、波長間隔を維持したままで一括シフトして、シフトした多波長光を波長分離部７０３に出力する。波長分離部７０３は、シフトした多波長光を光信号送信用の各波長に分離して、左方向への送信用の光を変調器７１３−１および７１３−２に出力し、右方向への送信用の光を変調器７１３−３および７１３−４に出力する。
【００６７】
波長フィルタ７０７−２は、セレクタ７０１−２からの多波長光と送信アンプ７０９−２からのＷＤＭ光を多重化して、波長フィルタ７０６−２に出力する。波長フィルタ７０６−２は、波長フィルタ７０７−２からの光を光ファイバ７２２に出力し、光ファイバ７２２から入射するＷＤＭ光を受信アンプ７０８−２に出力する。
【００６８】
受信アンプ７０８、送信アンプ７０９、波長分離部７１０、波長多重部７１１、受信部７１２、および変調器７１３の動作は、図５の場合と同様である。このようにして、伝送装置は、１本の光ファイバで多波長光とＷＤＭ光を伝送する。
【００６９】
ところで、図６において、故障により局同士を接続する光ファイバの通信断が発生した場合、故障箇所より下流の局に多波長光が供給されなくなるため、それらの局は通信ができなくなってしまう。そこで、このような場合でも通信の信頼性を確保するために、多波長光を双方向に伝送して２つの方向から供給することが考えられる。
【００７０】
図８は、このような伝送装置の構成図である。この構成では、基準多波長光の帯域を２つに分割し、一方の帯域Ｂ１の多波長光を光ファイバ８２３を介して右方向に伝送し、もう一方の帯域Ｂ２の多波長光を光ファイバ８２１を介して左方向に伝送する。また、光ファイバ８２１から入射する帯域Ｂ１の多波長光を利用して、光ファイバ８２１に出力するＷＤＭ光を生成し、光ファイバ８２３から入射する帯域Ｂ２の多波長光を利用して、光ファイバ８２３に出力するＷＤＭ光を生成する。
【００７１】
この場合、ＷＤＭ伝送システムの構成は、図９または１０に示すようになる。図９のリング構成では、局Ａに多波長光源供給装置９０１が設置され、隣接する通信局同士が１本の光ファイバで接続されて、局Ａ〜Ｄがリング状の伝送システムを形成する。多波長光源供給装置９０１から出力される帯域Ｂ１およびＢ２の多波長光は、それぞれ時計回りおよび反時計回りに伝播して各局に供給され、それぞれ反時計回りおよび時計回りの光信号送信に使用される。
【００７２】
また、図１０の対向（Back To Back）構成では、両端の局Ａおよび局Ｃにそれぞれ帯域Ｂ１の多波長光源供給装置１００１および帯域Ｂ２の多波長光源供給装置１００２が設置され、隣接する通信局同士が１本の光ファイバで接続される。多波長光源供給装置１００１から出力される帯域Ｂ１の多波長光は、右方向に伝播して各局に供給され、左方向の光信号送信に使用される。一方、多波長光源供給装置１００２から出力される帯域Ｂ２の多波長光は、左方向に伝播して各局に供給され、右方向の光信号送信に使用される。
【００７３】
図９または１０の構成によれば、光ファイバの通信断が発生した場合でも逆方向から多波長光が供給されるため、各局はその多波長光を利用した光信号送信を継続することができる。したがって、波長毎の光源を用いた従来のＷＤＭ伝送システムに近い信頼性が確保される。
【００７４】
図８の伝送装置は、セレクタ８０１−１〜８０１−４、波長変換器８０２、波長分離部８０３−１、８０３−２、８１１−１、８１１−２、光アンプ８０４−１、８０４−２、光カプラ８０５−１〜８０５−４、波長フィルタ８０６−１、８０６−２、８０７−１、８０７−２、８０８−１、８０８−２、受信アンプ８０９−１、８０９−２、送信アンプ８１０−１、８１０−２、波長多重部８１２−１、８１２−２、受信部８１３−１、８１３−２、および変調器８１４−１〜８１４−４を備える。
【００７５】
なお、実際には、波長分離部８１１−１および８１１−２の出力側には、ＷＤＭ光の波長数分の受信部が設けられ、波長多重部８１２−１および８１２−２の入力側には、ＷＤＭ光の波長数分の変調器が設けられる。
【００７６】
図９の局Ａや図１０の局Ａ、Ｃのように、自局に多波長光源供給装置が設置されている場合、光カプラ８０５−１は、多波長光源供給装置から供給される帯域Ｂ１の多波長光を２つに分岐して、それぞれセレクタ８０１−１および８０１−２に出力する。また、光カプラ８０５−３は、多波長光源供給装置から供給される帯域Ｂ２の多波長光を２つに分岐して、それぞれセレクタ８０１−３および８０１−４に出力する。
【００７７】
波長フィルタ８０６−１は、波長フィルタ８０８−１からの光を光ファイバ８２１に出力し、光ファイバ８２１から入射する光を波長フィルタ８０７−１に出力する。波長フィルタ８０７−１は、波長フィルタ８０６−１からの光を帯域Ｂ１の多波長光とＷＤＭ光に分離して、多波長光を光アンプ８０４−１に出力し、ＷＤＭ光を受信アンプ８０９−１に出力する。
【００７８】
光アンプ８０４−１は、波長フィルタ８０７−１からの多波長光を増幅して光カプラ８０５−２に出力し、光カプラ８０５−２は、その多波長光を２つに分岐してそれぞれセレクタ８０１−１および８０１−２に出力する。
【００７９】
セレクタ８０１−１は、光カプラ８０５−１からの帯域Ｂ１の多波長光または光カプラ８０５−２からの帯域Ｂ１の多波長光を選択して、波長変換器８０２に出力する。セレクタ８０１−２は、光カプラ８０５−１からの帯域Ｂ１の多波長光または光カプラ８０５−２からの帯域Ｂ１の多波長光を選択して、波長フィルタ８０８−２に出力する。
【００８０】
波長フィルタ８０８−２は、セレクタ８０１−２からの帯域Ｂ１の多波長光と送信アンプ８１０−２からのＷＤＭ光を多重化して、波長フィルタ８０６−２に出力する。波長フィルタ８０６−２は、波長フィルタ８０８−２からの光を光ファイバ８２２に出力し、光ファイバ８２２から入射する光を波長フィルタ８０７−２に出力する。
【００８１】
波長フィルタ８０７−２は、波長フィルタ８０６−２からの光を帯域Ｂ２の多波長光とＷＤＭ光に分離して、多波長光を光アンプ８０４−２に出力し、ＷＤＭ光を受信アンプ８０９−２に出力する。
【００８２】
光アンプ８０４−２は、波長フィルタ８０７−２からの多波長光を増幅して光カプラ８０５−４に出力し、光カプラ８０５−４は、その多波長光を２つに分岐してそれぞれセレクタ８０１−３および８０１−４に出力する。
【００８３】
セレクタ８０１−３は、光カプラ８０５−３からの帯域Ｂ２の多波長光または光カプラ８０５−４からの帯域Ｂ２の多波長光を選択して、波長変換器８０２に出力する。セレクタ８０１−４は、光カプラ８０５−３からの帯域Ｂ２の多波長光または光カプラ８０５−４からの帯域Ｂ２の多波長光を選択して、波長フィルタ８０８−１に出力する。
【００８４】
波長フィルタ８０８−１は、セレクタ８０１−４からの帯域Ｂ２の多波長光と送信アンプ８１０−１からのＷＤＭ光を多重化して、波長フィルタ８０６−１に出力する。
一方、波長変換器８０２は、セレクタ８０１−１からの帯域Ｂ１の多波長光の各波長を、波長間隔を維持したままで一括シフトして、シフトした多波長光を波長分離部８０３−１に出力し、セレクタ８０１−３からの帯域Ｂ２の多波長光の各波長を同様にシフトして、シフトした多波長光を波長分離部８０３−２に出力する。
【００８５】
波長分離部８０３−１は、シフトした帯域Ｂ１の多波長光を光信号送信用の各波長に分離して、変調器８１４−１および８１４−２に出力する。また、波長分離部８０３−２は、シフトした帯域Ｂ２の多波長光を光信号送信用の各波長に分離して、変調器８１４−３および８１４−４に出力する。
【００８６】
受信アンプ８０９、送信アンプ８１０、波長分離部８１１、波長多重部８１２、受信部８１３、および変調器８１４の動作は、図５の場合と同様である。このようにして、伝送装置は、１本の光ファイバで多波長光とＷＤＭ光を双方向に伝送する。
【００８７】
図１０の構成では、両端の２つの局に多波長光源供給装置が設置されているが、実際のＷＤＭ伝送システムでは、３つ以上の多波長光源供給装置を適当な間隔で配置してもよい。
【００８８】
次に、多波長光源の波長精度を維持する方法について説明する。図１４〜１６に示したように、ＷＤＭ伝送システムでは、通信用の各発振波長のピークが最適になるように制御を行うことが望ましい。そこで、多波長光源から供給される波長のうち１つまたは複数の波長を調整用に選び、その波長を用いて、各局の波長多重／分離部の通過波長特性の相対的ずれをなくすように、波長多重／分離部を制御する。
【００８９】
これらの調整用の波長を波長多重／分離部の波長グリッドの境界付近から選ぶことで、内部の波長フィルタを敏感に調整することができる。
同時に、各波長多重／分離部がこのように制御されている状態において、多波長光源の波長間隔および絶対値に適切なずれを常に維持させる制御を行うことも可能である。この場合、各局から調整用の波長のモニタ情報を多波長光源供給装置に通知し、供給される多波長光を一括して制御することで、波長誤差による制約が改善される。
【００９０】
図１１は、図６および７に示したＷＤＭ伝送システムにおいて、このような制御を行うための各局の伝送装置および多波長光源供給装置の構成例を示している。図１１の波長フィルタ部１１０１は、図７の波長フィルタ７０６−１、７０７−１、光アンプ７０４、および光カプラ７０５−２に相当する。
【００９１】
この例では、伝送装置の構成要素として、温度制御部１１０２、１１０６、スペクトルモニタ部１１０３、光カプラ１１０４−１、１１０４−２、光検出器（ＰＤ）１１０５−１、１１０５−２、およびインタフェース１１０７が追加されており、多波長光源供給装置６０１は、多波長光源部１１１１、調整部１１１２、およびインタフェース１１１３を備える。
【００９２】
図１１では、光ファイバ７２１側の構成のみが示されているが、光ファイバ７２２側の構成も同様である。
波長多重部７１１−１および波長分離部７１０−１の通過波長特性は、温度に応じて波長方向に変化する。したがって、温度制御部１１０２および１１０６により波長多重部７１１−１および波長分離部７１０−１の温度を制御することで、通過波長特性を調整することができる。
【００９３】
調整用の波長としては、波長変換器７０２によりシフトされた複数の波長のうち、第１および第２の２つの波長が選択される。好ましくは、第１の波長から最も離れた波長が第２の波長として選択される。これらの波長の光は、各局で受信した際に、必ずスルーして次の局に転送されるように接続される。
【００９４】
したがって、波長分離部７１０−１は、受信アンプ７０８−１からの光を各波長の光に分離した後、第１および第２の波長の光をそれぞれ光カプラ１１０４−１および１１０４−２に出力する。光カプラ１１０４−１および１１０４−２は、波長分離部７１０−１からの光を２つに分岐し、一方を反対側の波長多重部７１１−２に出力し、もう一方を光検出器１１０５−１および１１０５−２に出力する。
【００９５】
波長多重部７１１−２に出力された光は、光ファイバ７２２を介して次の局に転送される。こうして、第１および第２の波長の光は、送信データを運ぶことなしに局から局へ転送されていく。
【００９６】
図６の局Ａのように、自局に多波長光源供給装置６０１が設置されている場合は、多波長光源部１１１１から出力された多波長光が伝送装置に入射する。このとき、波長分離部７０３は、波長変換器７０２からの多波長光を各波長の光に分離し、第１および第２の波長の光を変調器を通さずに波長多重部７１１−１に出力する。
【００９７】
光検出器１１０５−１および１１０５−２は、受信した第１および第２の波長の光のパワーレベルを検出し、温度制御部１１０６に出力する。温度制御部１１０６は、光検出器１１０５−１から出力される第１の波長のパワーレベルが最大となるように、波長分離部７１０−１の温度を調整する。
【００９８】
スペクトルモニタ部１１０３は、送信アンプ７０９−１から出力される光のスペクトルをモニタし、モニタ情報を温度制御部１１０２に出力する。温度制御部１１０２は、スペクトルモニタ部１１０３によりモニタされる第１の波長のピーク値が最大となるように、波長多重部７１１−１の温度を調整する。
【００９９】
温度制御部１１０２および１１０６による調整を実施することで、全局の波長多重／分離部における通過波長の絶対値のずれが補償される。このとき、選択された第１の波長が各局の波長多重／分離部の所定の出力ポートを経由していることが確認される必要がある。
【０１００】
温度制御部１１０２は、スペクトルモニタ部１１０３からのモニタ情報を、インタフェース１１０７を介して多波長光源供給装置６０１に送信し、温度制御部１１０６は、第１および第２の波長のパワーレベルを、インタフェース１１０７を介して多波長光源供給装置６０１に送信する。
【０１０１】
自局に多波長光源供給装置６０１が設置されていない場合は、これらの情報が波長フィルタ部１１０１に転送され、光ファイバ７２２を介して多波長光源供給装置６０１が設置された局に送信される。
【０１０２】
多波長光源供給装置６０１では、インタフェース１１１３により受信した情報が調整部１１１２に転送される。調整部１１１２は、転送された情報に基づいて、第１および第２の波長の光が各局の波長多重／分離部を通過した際の光損失が最小になるように、多波長光源部１１１１の温度を調整する。これにより、多波長光源部１１１１内部の波長フィルタの通過波長特性が変化し、多波長光の発振波長間隔および各波長の絶対値が調整される。この場合も、第１および第２の波長が各局の波長多重／分離部の所定の出力ポートを経由していることが確認される必要がある。
【０１０３】
インタフェース１１１３は、必要に応じて監視制御信号回線等によって遠隔より収集された情報を受け取り、その情報に基づいて多波長光源部１１１１が制御される。通常は、ＷＤＭ光の波長帯域から離れた波長の光信号を、ＷＤＭ光に多重化して送受信する方法が一般である。
【０１０４】
また、各局の伝送装置は、第１の波長が所定のポートを経由しているか否かを確認し、スペクトルモニタ部１１０３および光検出器１１０５−１、１１０５−２により第１の波長の光をモニタしながら、波長多重／分離部を自律的に制御する動作を行う。
【０１０５】
第１の波長としては、波長間隔を変更してもその出力特性および波長が変動しないものを選択することが望ましい。具体的には、多波長光源部１１１１が多波長発振を行う際に元となる波長を選択するとよい。
【０１０６】
図３、９、および１０に示したＷＤＭ伝送システムにおいても、図１１と同様にして、多波長光源の波長精度を維持する制御を行うことができる。図９のようなリング構成では、調整用の波長の光が到達する最終局は最初と同じ局Ａとなり、図１０のような対向構成では、最終局は別の局となる。
【０１０７】
以上説明した実施形態では、ＷＤＭ伝送システムが３個または４個の通信局から構成されているが、実際にはより多数の通信局から構成される。
また、基準多波長光の帯域を２つに分割する代わりにより多数の帯域に分割して、それらのいくつかを１つのグループとし、残りの帯域をもう１つのグループとしてもよい。この場合、２つのグループがそれぞれ左方向および右方向の光信号送信に利用される。
【０１０８】
（付記１）  多波長光源から供給される多波長光を利用して波長分割多重により光信号を伝送する伝送装置であって、
前記多波長光源が生成する多波長光または第１の多波長光伝送路から入射する多波長光を第２の多波長光伝送路に出力する多波長光出力手段と、
前記多波長光を各波長の光に分離する多波長光分離手段と、
分離された各波長の光を送信データ列で変調して光信号を生成する変調手段と、
複数の前記光信号を多重化して光信号伝送路に出力する波長多重手段と
を備えることを特徴とする伝送装置。
（付記２）  波長分割多重光を各波長の光信号に分離する波長分離手段と、前記波長多重手段から出力される波長分割多重光を前記光信号伝送路に出力し、該光信号伝送路から入射する波長分割多重光を前記波長分離手段に出力する波長フィルタ手段をさらに備えることを特徴とする付記１記載の伝送装置。
（付記３）  多波長光源から供給される多波長光を利用して波長分割多重により光信号を伝送する伝送装置であって、
前記多波長光源または第１の伝送路から入射する多波長光を第２の伝送路に出力する多波長光出力手段と、
前記多波長光の各波長を一括して変換する変換手段と、
変換された多波長光を各波長の光に分離する多波長光分離手段と、
分離された各波長の光を送信データ列で変調して光信号を生成する変調手段と、
波長の異なる複数の光信号を多重化して前記第２の伝送路に出力する波長多重手段と
を備えることを特徴とする伝送装置。
（付記４）  波長分割多重光を各波長の光信号に分離する波長分離手段と、前記波長多重手段から出力される波長分割多重光を前記第２の伝送路に出力し、該第２の伝送路から入射する波長分割多重光を前記波長分離手段に出力する波長フィルタ手段をさらに備えることを特徴とする付記３記載の伝送装置。
（付記５）  前記多波長光から生成された調整用波長の光が前記波長多重手段または波長分離手段を通過するとき、通過後の調整用波長の光をモニタするモニタ手段と、該調整用波長の光のモニタ値が最大となるように該波長多重手段または波長分離手段の特性を制御する制御手段をさらに備えることを特徴とする付記２または４記載の伝送装置。
（付記６）  多波長光源から供給される多波長光を利用して波長分割多重により光信号を伝送する伝送装置であって、
前記多波長光源または第１の伝送路から入射する第１の多波長光を第２の伝送路に出力する第１の多波長光出力手段と、
前記多波長光源または第２の伝送路から入射する第２の多波長光を前記第１の伝送路に出力する第２の多波長光出力手段と、
前記第１および第２の多波長光の各波長を一括して変換する変換手段と、
変換された第１の多波長光を各波長の光に分離する第１の多波長光分離手段と、
変換された第２の多波長光を各波長の光に分離する第２の多波長光分離手段と、
前記第１の多波長光分離手段により分離された各波長の光を送信データ列で変調して光信号を生成する第１の変調手段と、
前記第２の多波長光分離手段により分離された各波長の光を送信データ列で変調して光信号を生成する第２の変調手段と、
前記第１の変調手段により生成された波長の異なる複数の光信号を多重化して前記第１の伝送路に出力する第１の波長多重手段と、
前記第２の変調手段により生成された波長の異なる複数の光信号を多重化して前記第２の伝送路に出力する第２の波長多重手段と
を備えることを特徴とする伝送装置。
（付記７）  波長分割多重光を各波長の光信号に分離する第１の波長分離手段と、波長分割多重光を各波長の光信号に分離する第２の波長分離手段と、前記第１の波長多重手段から出力される波長分割多重光を前記第１の伝送路に出力し、該第１の伝送路から入射する波長分割多重光を前記第１の波長分離手段に出力する第１の波長フィルタ手段と、前記第２の波長多重手段から出力される波長分割多重光を前記第２の伝送路に出力し、該第２の伝送路から入射する波長分割多重光を前記第２の波長分離手段に出力する第２の波長フィルタ手段をさらに備えることを特徴とする付記３記載の伝送装置。
（付記８）  前記第１の多波長光から生成された調整用波長の光が前記第１の波長多重手段または第１の波長分離手段を通過するとき、通過後の調整用波長の光をモニタする第１のモニタ手段と、該調整用波長の光のモニタ値が最大となるように該第１の波長多重手段または第１の波長分離手段の特性を制御する第１の制御手段と、前記第２の多波長光から生成された調整用波長の光が前記第２の波長多重手段または第２の波長分離手段を通過するとき、通過後の調整用波長の光をモニタする第２のモニタ手段と、該調整用波長の光のモニタ値が最大となるように該第２の波長多重手段または第２の波長分離手段の特性を制御する第２の制御手段をさらに備えることを特徴とする付記７記載の伝送装置。
（付記９）  波長多重手段および波長分離手段を有し、多波長光を利用して波長分割多重により光信号を伝送する複数の伝送装置に、該多波長光を供給する多波長光源供給装置であって、
前記多波長光を生成する多波長光源手段と、
前記多波長光から生成された調整用波長の光が前記波長多重手段および波長分離手段を通過するとき、通過後の調整用波長の光をモニタして得られた情報を、前記複数の伝送装置から収集するインタフェース手段と、
収集された情報に基づいて、前記通過後の調整用波長の光の光損失が最小になるように、前記多波長光源手段の特性を制御する制御手段と
を備えることを特徴とする多波長光源供給装置。
【図面の簡単な説明】
【０１０９】
【図１】本発明の伝送装置の原理図である。
【図２】２本の光ファイバによる接続を示す図である。
【図３】多波長光源を用いた構成を示す図である。
【図４】双方向通信の実現方法を示す図である。
【図５】第１の伝送装置の構成図である。
【図６】１本の光ファイバによる接続を示す図である。
【図７】第２の伝送装置の構成図である。
【図８】第３の伝送装置の構成図である。
【図９】リング構成を示す図である。
【図１０】対向構成を示す図である。
【図１１】波長精度を維持する構成を示す図である。
【図１２】波長毎の光源を用いたＷＤＭ伝送システムの構成図である。
【図１３】第１の送信部の構成図である。
【図１４】利得波長帯域を示す図である。
【図１５】波長精度のばらつきを示す図である。
【図１６】波長フィルタを示す図である。
【図１７】波長フィルタの通過特性を示す図である。
【図１８】多波長光源を用いたＷＤＭ伝送システムの構成図である。
【図１９】第２の送信部の構成図である。
【符号の説明】
【０１１０】
１１−１〜１１−２０、４２−１〜４２−２０  送信部
１２−１〜１２−２０、５１０−１、５１０−２、７１２−１、７１２−２、８１３−１、８１３−２  受信部
１３−１〜１３−４  波長多重／分離装置
１４  電気的ＡＤＤ／ＤＲＯＰ装置
１５、５０９−１、５０９−２、７１１−１、７１１−２、８１２−１、８１２−２  波長多重部
１６、５０２、５０８−１、５０８−２、７０３、７１０−１、７１０−２、８０３−１、８０３−２、８１１−１、８１１−２  波長分離部
１７  光送信増幅部
１８  光受信増幅部
２１  光源
２２、５１１−１〜５１１−４、７１３−１〜７１３−４、８１４−１〜８１４−４  変調器
３１、３２  曲線
４１−１〜４１−４  波長分離器
４３、３１１、３１２、３１３、５０４−１、５０４−２、７０５−１、７０５−２、８０５−１〜８０５−４、１１０４−１、１１０４−２  光カプラ
４４、３０１、６０１、９０１、１００１、１００２  多波長光源供給装置
１０１  多波長光出力手段
１０２  多波長光分離手段
１０３  変調手段
１０４  波長多重手段
３２１、３２２、３２３、３３１、３３２、５２１、５２２、５３１、５３２、６２１、６２２、６２３、７２１、７２２、８２１、８２２  光ファイバ
４０１、４０２、５０５−１、５０５−２、７０６−１、７０６−２、７０７−１、７０７−２、８０６−１、８０６−２、８０７−１、８０７−２、８０８−１、８０８−２  波長フィルタ
５０１−１、５０１−２、７０１−１、７０１−２、８０１−１〜８０１−４  セレクタ
５０３、７０４、８０４−１、８０４−２  光アンプ
５０６−１、５０６−２、７０８−１、７０８−２、８０９−１、８０９−２  受信アンプ
５０７−１、５０７−２、７０９−１、７０９−２、８１０−１、８１０−２  送信アンプ
６１１、６１２、６１３、７０２、８０２  波長変換器
１１０１  波長フィルタ部
１１０２、１１０６  温度制御部
１１０３  スペクトルモニタ部
１１０５−１、１１０５−２  光検出器
１１０７、１１１３  インタフェース
１１１１  多波長光源部
１１１２  調整部
【図１】
2006270283.tif 000003
【図２】
2006270283.tif 000004
【図３】
2006270283.tif 000005
【図４】
2006270283.tif 000006
【図５】
2006270283.tif 000007
【図６】
2006270283.tif 000008
【図７】
2006270283.tif 000009
【図８】
2006270283.tif 000010
【図９】
2006270283.tif 000011
【図１０】
2006270283.tif 000012
【図１１】
2006270283.tif 000013
【図１２】
2006270283.tif 000014
【図１３】
2006270283.tif 000015
【図１４】
2006270283.tif 000016
【図１５】
2006270283.tif 000017
【図１６】
2006270283.tif 000018
【図１７】
2006270283.tif 000019
【図１８】
2006270283.tif 000020
【図１９】
2006270283.tif 000021